(57)【特許請求の範囲】
【請求項１】
前面板の上部の外面に水切り段差が設けられ、該水切り段差を介して前記前面板の上壁部と下壁部とが連設された軒樋において、
前記水切り段差に、樋長手方向に沿って延在するとともに毛細管現象及び表面張力によって水を保持可能な溝が形成され、
前記水切り段差の奥行き寸法は、１〜５ｍｍの範囲内であり、また、前記溝の深さ寸法は、１〜５ｍｍの範囲内であることを特徴とする軒樋。
【請求項２】
請求項１に記載の軒樋において、
前記溝は、前記上壁部の外面の下端に連設された前方側の第一内面と、該第一内面の後方側に配設されていると共に前記下壁部の外面の上端に連設された後方側の第二内面と、
を備えており、
前記下壁部の外面の上端と前記第二内面の下端との間に形成された屈曲部の鉛直方向位置は、前記上壁部の外面の下端と前記第一内面の下端との間に形成された角部の先端の鉛直方向位置と略同位置に形成されていることを特徴とする軒樋。
【発明の詳細な説明】
【技術分野】
【０００１】
本発明は、軒樋に関する。
【背景技術】
【０００２】
従来、軒先等に設置される軒樋として、例えば下記特許文献１に記載されているような、前面板に水切り段差が設けられ、この水切り段差を介して前面板の上壁部と下壁部とが連設された構成の軒樋が知られている。このような構成の軒樋では、上壁部の外面を伝って水が流れ落ちても水切り段差の先端部分で水切りされて落下されるので、下壁部の外面にまで水が伝わることを防止することができる。
【０００３】
また、従来、例えば下記特許文献２に記載されているような、前面板に樋長手方向に延在する凹溝状の段差が形成され、この段差を介して前面板の上壁部と下壁部とが連設され、さらに、前記した段差の先端（上側の端部）に水切りリブが垂下された構成の軒樋が知られている。このような構成の軒樋では、上壁部の外面を伝って水が流れ落ちても水切りリブによって水切りされて落下されるので、上壁部の外面を伝って流れ落ちた水をより確実に水切りすることができる。
【先行技術文献】
【特許文献】
【０００４】
【特許文献１】特開平１１−２４７３７９号公報
【特許文献２】特開２００９−７７４４号公報
【発明の概要】
【発明が解決しようとする課題】
【０００５】
ところで、近年、軒樋の外観をシンプルにするというデザイン的な要望がある場合があり、このような要望がある場合には、前面板に設けられた水切り段差の奥行き寸法（前後方向の寸法）を小さくして目立たないようにする必要がある。
【０００６】
しかしながら、水切り段差の奥行き寸法を小さくすると、上壁部の外面を伝って落ちる水が十分に切ることができず、上壁部の外面を伝って落ちた水が水切り段差を経由して下壁部の外面に伝わり易くなるという問題が生じる。
【０００７】
一方、上記した後者の軒樋では、水切りリブの突出長さ寸法を小さくすることで水切りリブが破損し難くなり、成形性も向上するが、水切りリブの突出長さ寸法を小さくすると、水を十分に切ることができず、上壁部の外面を伝って落ちた水が水切りリブの裏側に回って段差の表面に伝わり、その段差の表面から下壁部の外面に伝わるという問題が生じる。
【０００８】
本発明は、上記した従来の問題が考慮されたものであり、前面板の上壁部の外面を伝って流れ落ちた水が前面板の下壁部の外面にまで伝わることを確実に防止できる軒樋を提供することを目的としている。
【課題を解決するための手段】
【０００９】
本発明に係る軒樋は、上記した課題を解決するべく、下記の特徴を有する。
すなわち、本願の請求項１に係る軒樋は、前面板の上部の外面に水切り段差が設けられ、該水切り段差を介して前記前面板の上壁部と下壁部とが連設された軒樋において、前記水切り段差に、樋長手方向に沿って延在するとともに毛細管現象及び表面張力によって水を保持可能な溝が形成され、前記水切り段差の奥行き寸法は、１〜５ｍｍの範囲内であり、また、前記溝の深さ寸法は、１〜５ｍｍの範囲内であることを特徴とする。
【００１０】
本願の請求項２に係る軒樋は、請求項１に記載の軒樋において、前記溝は、前記上壁部の外面の下端に連設された前方側の第一内面と、該第一内面の後方側に配設されていると共に前記下壁部の外面の上端に連設された後方側の第二内面と、を備えており、前記下壁部の外面の上端と前記第二内面の下端との間に形成された屈曲部の鉛直方向位置は、前記上壁部の外面の下端と前記第一内面の下端との間に形成された角部の先端の鉛直方向位置と略同位置に形成されていることを特徴としている。
【発明の効果】
【００１１】
本発明に係る軒樋によれば、上記した解決手段によって下記の作用及び効果を奏する。
すなわち、本願の請求項１に係る軒樋によれば、上壁部の外面を伝って流れ落ちた水は、水切り段差の先端、つまり上壁部と水切り段差との連結部分において水切りされて落下する。また、前記した連結部分を越えて水が水切り段差側に回ったとしても、その水は、水切り段差に形成された溝の内側に毛細管現象によって吸引されると共に水の表面張力によって溝内に保持される。すなわち、前面板の外面を伝って流れ落ちる水の流通が、水切り段差による水切り機能及び溝による水保持機能によって２段階で規制される。
これにより、前面板の下壁部の外面にまで水が伝わることを確実に防止することができ、水切り段差の奥行き寸法を小さくしても、前面板の上壁部の外面を伝って流れ落ちた水が前面板の下壁部の外面にまで伝わることを確実に防止することができ、前面板の下壁部における水汚れを軽減させることができる。
【００１２】
本願の請求項２に係る軒樋によれば、上壁部の外面を伝って上壁部の下端まで流れ落ちた水が溝内に保持されやすくなる。
これにより、前面板の下壁部の外面にまで水が伝わることをより確実に防止することができる。
【図面の簡単な説明】
【００１３】
【図１】本発明の実施の形態を説明するための軒樋の断面図である。
【図２】本発明の実施の形態を説明するための軒樋の前面板の部分断面図である。
【発明を実施するための形態】
【００１４】
以下、本発明に係る軒樋の実施の形態について、図面に基いて説明する。
なお、本実施の形態では、図１における縦方向を「鉛直方向」とし、軒樋１が延在する方向（図１の断面に対して垂直な方向）を「樋長手方向」とし、図１における横方向を「前後方向」とする。また、前後方向のうちの図示せぬ軒先側（図１における右側）を後方側とし、その反対側（図１における左側）を前方側とする。
【００１５】
図１に示すように、本実施の形態における軒樋１は、軒先等に図示せぬブラケットを介して設置される樋であり、断面視略多角形状の角樋である。この軒樋１は、例えば塩化ビニル等の合成樹脂からなる樹脂部材であり、射出成形法等の公知の樹脂成形法によって形成される。軒樋１の概略構成としては、樋長手方向に延設された底板２と、底板２の前方側の端部から立設された前面板３と、底板２の後方側の端部から立設された後面板４、を備えている。
【００１６】
底板２は、軒樋１の底面を形成する平板状の板部であり、水平面に沿って形成されている。
【００１７】
前面板３は、軒樋１の前面を形成する板部であり、樋長手方向に沿って延設されている。この前面板３には、前面板３の外面を伝って流れ落ちる水を切る（落下させる）ための水切り段差５が設けられており、この水切り段差５を介して前面板３の上壁部６と下壁部７とが連設されている。
【００１８】
上壁部６は、樋長手方向に沿って延在する平板状の板部であり、鉛直方向に沿って形成されている。この上壁部６は、前面板３の上端の縁部を形成する帯状の板部であり、上壁部６の高さ寸法（鉛直方向の寸法）は下壁部７の高さ寸法に比べて相当に小さい。
【００１９】
下壁部７は、底板２や上壁部６に対して傾斜された板部であり、上方に向かうに従い前方側に傾斜されている。また、下壁部７は、軒樋１の内方側（後方側）に向けて膨出するように断面視円弧状に湾曲されている。この下壁部７の上端は、上壁部６の下端の後方側に配置されており、水切り段差５を介して上壁部６の下端に連結されている。また、下壁部７の下端は、断面視略Ｌ字状の段部９を介して底板２の前方側の端部に連結されている。
【００２０】
水切り段差５は、上壁部６の下端と下壁部７の上端との間に介在された下向きの段差であり、前面板３の上部の外面に位置している。この水切り段差５には、樋長手方向に沿って延在する溝８が形成されている。
【００２１】
図２に示すように、上記した溝８は、下向きに開口された溝であって、上壁部６の外面から水切り段差５に回った水を流入すると共にその水を保持することができる溝である。詳しく説明すると、溝８は、溝幅寸法（前後方向の寸法）が上方に向かうに従い漸次縮幅された断面視台形状の溝であり、その概略構成としては、上方に向かうに従い後方側に傾斜した傾斜面８０（本発明の第一内面に相当する。）と、傾斜面８０の後方側に配設されて鉛直方向に沿って形成された鉛直面８１（本発明の第二内面に相当する。）と、傾斜面８０の上端と鉛直面８１の上端との間に配設されて水平面に沿って形成された溝底面８２と、によって画成されている。上記した傾斜面８０の下端は、Ｒを付けた丸角部８３（本発明の角部に相当する。）を介して上壁部６の外面の下端に連設されており、また、上記した鉛直面８１の下端は、鈍角に屈曲した屈曲部８４を介して下壁部７の外面の上端に連設されている。さらに、上記した屈曲部８４の鉛直方向位置は、丸角部８３の下端（先端）の鉛直方向位置と略同位置に形成されている。
なお、上記した水切り段差５の奥行き寸法は、できる限り小さいことが好ましく、１〜５ｍｍの範囲内であり、また、溝８の深さ寸法（鉛直方向の寸法）は、１〜５ｍｍの範囲ないであり、例えば、水切り段差５の奥行き寸法を２ｍｍとし、溝８の深さ寸法を１．４ｍｍとする。
【００２２】
また、図１に示すように、前面板３の上端部には、図示せぬブラケットに掛止される前方側ブラケット掛止部１０が設けられている。この前方側ブラケット掛止部１０は、水切上壁部６の内面から後方側に向けて突出された爪部１３と、下壁部７の上端部の内面から後方側に向けて突出された支持部１４と、からなる。上記した支持部１４の上に図示せぬブラケットの先端部が載置されると共に上記した爪部１３がブラケットの先端部に掛止される。
【００２３】
後面板４は、軒樋１の後面を形成する板部であり、樋長手方向に沿って延設されている。この後面板４は、前面板３（下壁部７）に対向配置されている。また、後面板４は、前面板３よりも低い壁部であり、後面板４の上端の高さ（鉛直方向の位置）は、前面板３の下壁部７の中間部分程度となっている。また、後面板４の上端部には、図示せぬブラケットに掛止される後方側ブラケット掛止部１１が設けられている。この後方側ブラケット掛止部１１は、後面板４の上端部の内面から前方側に突出されており、この後方側ブラケット掛止部１１の下面に図示せぬブラケットの掛止部が掛止される。
【００２４】
上記した軒樋１によれば、前面板３の上壁部６の外面に付着した水は、上壁部６の外面を伝って流れ落ち、水切り段差５の先端、つまり上壁部６と水切り段差５との連結部分（丸角部８３）において水切りされて落下する。また、丸角部８３の表面に沿って水が水切り段差５側に回ったとしても、その水は、毛細管現象によって溝８の内側に流入して水の表面張力によって溝８内に保持される。すなわち、前面板３の外面を伝って流れ落ちる水の流通が、水切り段差５による水切り機能及び溝８による水保持機能によって２段階で規制される。これにより、前面板３の下壁部７の外面にまで水が伝わることを確実に防止することができ、水切り段差５の奥行き寸法を小さくしても、前面板３の下壁部６の外面にまで水が伝わることを防止することができる。その結果、前面板３の下壁部７の外面における水汚れを軽減させることができる。
【００２５】
また、上記した軒樋１では、前面板３の上壁部６が鉛直方向に沿って形成されているので、上壁部６の外面に付着した水が流れ落ちやすくなり、且つ、上壁部６の外面を伝って上壁部６の下端まで流れ落ちた水が水切り段差５側に回りにくくなる。これにより、前面板３の下壁部７の外面及び上壁部６の外面における水汚れを軽減させることができる。
【００２６】
また、上記した軒樋１では、鉛直面８１の下端と下壁部７の外面の上端との間に形成された屈曲部８４の鉛直方向位置が、傾斜面８０の下端と上壁部６の外面の下端との間に形成された丸角部８３の下端の鉛直方向位置と略同位置に形成されているので、上壁部６の外面を伝って上壁部６の下端まで流れ落ちた水が溝８内に保持されやすくなる。これにより、前面板３の上壁部６の外面を伝って流れ落ちた水が前面板３の下壁部７の外面に伝わることを確実に防止することができる。
【００２７】
また、上記した軒樋１では、溝８の上端に、水平面に沿った溝底面８２が形成されているので、溝８の周りに亀裂が生じにくい。仮に、断面視において頂点が鋭角な三角形状を成す溝が形成されていると、その三角形の頂点部分から亀裂が生じやすくなり、前面板３が破損しやすくなるおそれがあるが、上記した軒樋１のように、溝８を断面視台形状に形成することにより、上記した亀裂が生じにくくなる。これにより、溝８を形成した場合における軒樋１の耐久性の低下を抑えることができる。
【００２８】
以上、本発明に係る軒樋の実施の形態について説明したが、本発明は上記した実施の形態に限定されるものではなく、その趣旨を逸脱しない範囲で適宜変更可能である。
例えば、上記した実施の形態では、前面板３の上端部に前方側ブラケット掛止部１０が設けられ、後面板４の上端部に後方側ブラケット掛止部１１が設けられ、これら前方側ブラケット掛止部１０や後方側ブラケット掛止部１１に図示せぬブラケットを掛止させることで軒樋１が建物に取り付けられる構造となっているが、本発明は、軒樋１の建物に対する取付構造は適宜変更可能であり、上記した前方側ブラケット掛止部１０や後方側ブラケット掛止部１１を適宜変更若しくは省略することができる。
【００２９】
また、上記した実施の形態における軒樋１は、いわゆる角樋であって、底板２の前方側の端部から前面板３が立設され、前面板３の上壁部６が鉛直方向に沿って形成され、前面板３の下壁部７が上方に向かうに従い前方側に傾斜されているが、本発明は、他の断面形状を成す軒樋であってもよい。例えば、前面板３の上壁部が上方に向かうに従い後方側若しくは前方側に傾斜された形状であってもよい。また、前面板３の下壁部が上方に向かうに従い後方側に傾斜されたり鉛直方向に沿って形成されたりした形状であってもよい。さらに、本発明は、角樋以外の軒樋であってもよく、例えば断面視略円弧状の丸樋であってもよい。
【００３０】
また、上記した実施の形態では、断面視台形状の溝８が形成されているが、本発明は、他の形状の溝を形成することも可能である。例えば、断面視三角形状の溝を水切り段差５に形成することも可能である。この場合、上述したような亀裂の発生を防止するため、三角形の頂点にＲをつけることが好ましい。また、断面視半円状やＵ字状、矩形状の溝を水切り段差５に形成することも可能である。
【００３１】
また、上記した実施の形態では、溝８の前方側の内面（第一内面）が上方に向かうに従い後方側に傾斜した傾斜面８０となっており、溝８の後方側の内面（第二内面）が鉛直方向に沿って形成された鉛直面８１となっているが、本発明は、溝の内面の傾きは適宜変更可能である。例えば、溝の後方側の内面（第二内面）が上方に向かうに従い前方側に傾斜し、溝が縦断面視において二等辺三角形状に形成されていてもよく、或いは、上壁部の外面が上方に向かうに従い前方側に傾斜している場合には、溝８の前方側の内面（第一内面）が鉛直方向に沿って形成されていてもよい。
また、上記した実施の形態では、傾斜面８０の下端と上壁部６の外面の下端との間に、Ｒを付けた丸角部８３が設けられているが、本発明は、Ｒを付けずに鋭角な角部を介して、傾斜面８０の下端と上壁部６の外面の下端とが連設されていてもよい。
【００３２】
その他、本発明の主旨を逸脱しない範囲で、上記した実施の形態における構成要素を周知の構成要素に置き換えることは適宜可能であり、また、上記した変形例を適宜組み合わせてもよい。
【符号の説明】
【００３３】
１  軒樋
３  前面板
５  水切り段差
６  上壁部
７  下壁部
８  溝
８０  傾斜面（第一内面）
８１  鉛直面（第二内面）
８３  丸角部（角部）
【図１】
0005438391.tif 000002
【図２】
0005438391.tif 000003